(57)【要約】【課題】複数の記録再生装置を有する複合型記録再生装置において、使いやすくかつ確実に所望の動作を実行せしめることができるようにする。【解決手段】複合型記録再生装置は、複数（例えば３つ）の記録再生装置を備える。操作部１０に配置された操作ボタン群は、これらの記録再生装置の記録・再生動作、及び記録再生装置間のダビング動作を容易に実行できる。ボタン群のうち、記録再生装置選択ボタン１１を操作すると、該当する記録再生装置が選択される。選択した記録再生装置に対応する記録指示ボタン１３を操作すると、その記録再生装置にデータが記録される。また選択した記録再生装置に対応する再生指示ボタン１４を操作すると、その記録再生装置のデータが再生される。ダビング指示ボタン１２は、二つの記録再生装置選択ボタン１１の間に配置され、その矢印の方向に従って、記録再生装置間でデータのダビングを実行させることができる。【選択図】図１
2006107653.tif 000002
【特許請求の範囲】
【請求項１】
複数種類の記録メディアにそれぞれ対応した複数の記録再生装置を有する複合型記録再生装置において、該複合型記録再生装置は、前記複数種類の記録再生装置を選択するために、該複数種類の記録再生装置毎にそれぞれ対応して設けられた複数の記録再生装置選択ボタンを有し、前記記録再生装置選択ボタンがオンになるように操作されると、該操作された記録再生装置選択ボタンに対応する記録再生装置が選択され、該選択された記録再生装置に対する操作が可能となることを特徴とする複合型記録再生装置。
【請求項２】
請求項１に記載の複合型記録再生装置において、該複合型記録再生装置は、前記複数の記録再生装置選択ボタンうち、二つの記録再生装置選択ボタンの全ての組み合わせにおいて、各前記記録再生装置選択ボタン間に、相互に反対の記録再生装置選択ボタンを指し示す二つのダビング指示ボタンが配置され、さらに前記複数の記録再生装置選択ボタンのそれぞれの近傍に配置された相互に反対方向を指し示すボタンであって、一方が該記録再生装置選択用ボタンを向き、他方がいずれの記録再生装置選択ボタンをも向かないように設置された記録／再生指示ボタンが配置され、前記ダビング指示ボタンのいずれかがオンになるように操作されると、その指示する方向と逆方向に配置されている記録再生装置選択ボタンをダビング元とし、該指示する方向に配置されている記録再生装置選択ボタンをダビング先として、該ダビング元の記録再生装置選択ボタンに対応する記録再生装置から、該ダビング先の記録再生装置選択ボタンに対応する記録再生装置に対してデータのダビングを行い、前記記録／再生指示ボタンのいずれかがオンになるように操作されると、該操作されたボタンの指示方向に前記記録再生装置選択ボタンが配置されている場合は、該記録再生装置選択ボタンに対応する記録再生装置に所定のデータを入力して記録を行い、前記操作されたボタンの指示方向と逆の方向に前記記録再生装置選択ボタンが配置されている場合は、該記録再生装置選択ボタンに対応する記録再生装置のデータ再生を行うことを特徴とする複合型記録再生装置。
【請求項３】
請求項２に記載の複合型記録再生装置において、前記ダビング指示ボタン、及び前記記録／再生指示ボタンの指示は、矢印表示によって行われるように構成されていることを特徴とする複合型記録再生装置。
【請求項４】
請求項２または３に記載の複合型記録再生装置において、前記記録再生装置選択ボタン、前記ダビング指示ボタン、及び前記記録／再生指示ボタンは、それぞれ操作されてオンになっている間に点灯する点灯手段を備えることを特徴とする複合型記録再生装置。
【請求項５】
請求項４に記載の複合型記録再生装置において、前記記録再生装置選択ボタンが備える点灯手段は、該記録再生装置選択ボタンに対応する記録再生装置が動作するとき、該動作が再生動作である場合と、記録動作である場合とで、前記点灯手段の点灯色が異なることを特徴とする複合型記録再生装置。
【請求項６】
請求項２ないし５のいずれか１に記載の複合型記録再生装置において、前記記録再生装置選択ボタン、前記記録／再生指示ボタン、及び前記ダビング指示ボタンを備えた操作部が、前記複合型記録再生装置本体に着脱自在に構成され、前記操作部が前記複合型記録再生装置本体から離脱しているときには、前記操作部は、前記複合型記録再生装置本体を操作するリモコン装置として機能することを特徴とする複合型記録再生装置。
【請求項７】
複数種類の記録メディアにそれぞれ対応した複数の記録再生装置を有する複合型記録再生装置を操作するためのリモコン装置において、該リモコン装置は、前記複数種類の記録再生装置を選択するために、該複数種類の記録再生装置毎にそれぞれ対応して設けられた複数の記録再生装置選択ボタンを有し、前記記録再生装置選択ボタンがオンになるように操作されると、該操作された記録再生装置選択ボタンに対応する記録再生装置を選択する信号を送出し、該選択された記録再生装置に対する操作を可能とすることを特徴とするリモコン装置。
【請求項８】
請求項７に記載のリモコン装置において、該リモコン装置は、前記複数の記録再生装置選択ボタンのうち、二つの記録再生装置選択ボタンの全ての組み合わせにおいて、各前記記録再生装置選択ボタン間に、相互に反対の記録再生装置選択ボタンを指し示す二つのダビング指示ボタンが配置され、さらに前記複数の記録再生装置選択ボタンのそれぞれの近傍に配置された相互に反対方向を指し示すボタンであって、一方が該記録再生装置選択ボタンを向き、他方がいずれの記録装置選択ボタンをも向かないように設置された記録／再生指示ボタンが配置され、前記ダビング指示ボタンのいずれかがオンになるように操作されると、その指示する方向と逆方向に配置されている記録再生装置選択ボタンをダビング元とし、該指示する方向に配置されている記録再生装置選択ボタンをダビング先として、該ダビング元の記録再生装置選択ボタンに対応する記録再生装置から、該ダビング先の記録再生装置選択ボタンに対応する記録再生装置に対してデータのダビングを行わせる信号を送出し、前記記録／再生指示ボタンのいずれかがオンになるように操作されると、該操作されたボタンの指示方向に前記記録再生装置選択ボタンが配置されている場合は、該記録再生装置選択ボタンに対応する記録再生装置に所定のデータを入力して記録を行い、前記操作されたボタンの指示方向と逆の方向に前記記録再生装置選択ボタンが配置されている場合は、該記録再生装置選択ボタンに対応する記録再生装置のデータ再生を行う信号を送出することを特徴とするリモコン装置。
【請求項９】
請求項８に記載のリモコン装置において、前記ダビング指示ボタン、及び前記記録／再生指示ボタンの指示は、矢印表示によって行われるように構成されていることを特徴とするリモコン装置。
【請求項１０】
請求項８または９に記載のリモコン装置において、前記記録再生装置選択ボタン、前記ダビング指示ボタン、及び前記記録／再生指示ボタンは、それぞれ操作されてオンになっている間に点灯する点灯手段を備えることを特徴とするリモコン装置。
【請求項１１】
請求項１０に記載のリモコン装置において、前記記録再生装置選択ボタンが備える点灯手段は、該記録再生装置選択ボタンに対応する記録再生装置が動作するとき、該動作が再生動作である場合と、記録動作である場合とで、前記点灯手段の点灯色が異なることを特徴とするリモコン装置。
【請求項１２】
請求項１ないし６のいずれか１に記載の複合型記録再生装置と、請求項７ないし１１のいずれか１に記載のリモコン装置とを有することを特徴とする複合型記録再生システム。
【発明の詳細な説明】
【技術分野】
【０００１】
本発明は、複合型記録再生装置、リモコン装置、及びこれらを有する複合型記録再生システムに関し、より詳細には、光ディスク記録再生装置、ハードディスク記録再生装置、テープ記録再生装置、等が複合された記録再生装置において、記録再生等の操作を容易にし、また記録再生状態を簡単に判別できるようにした複合型記録再生装置と、そのリモコン装置、及びこれらを有してなる複合型記録再生システムに関する。
【背景技術】
【０００２】
複数種類の記録媒体に対応した複合型記録再生装置が提供されている。例えば、ブルーレイディスク、ＣＤ、ＤＶＤ等のディスク媒体への記録再生が可能な記録再生装置、ハードディスクを用いた記録再生装置、磁気テープを用いた磁気記録再生装置、等の記録再生装置のうち、複数種類の記録再生装置を備えた複合型記録再生装置が提供されている。
【０００３】
上記のごとくの複合型記録再生装置に関し、例えば、特許文献１には、ＣＤプレーヤ／テープレコーダ／ＭＤレコーダを備える複合型記録再生装置において、ＣＤプレーヤからテープレコーダ及びＭＤレコーダへ同時に記録する際に、テープレコーダのリバースによってもＭＤレコーダで記録が正常につながるようにした技術が開示されている。ここでは、テープレコーダがリバースするときは、ＣＤの再生を現在演奏中の曲の先頭部で一次停止した後、ＭＤの記録を現在記録中の曲の先頭アドレスの最も早いクラスタアドレスの区切りから記録できるように記録一時停止状態にし、リバースが完了したら、ＭＤ及びテープレコーダの記録を再開するととともにＣＤの再生を再開するものである。
【特許文献１】特開平７−２８７９２０号公報
【発明の開示】
【発明が解決しようとする課題】
【０００４】
このような複合型記録再生装置には、例えば、各記録再生装置の種類に応じて複数のリモコン装置（リモートコントローラ）が用意されている。図５は、従来のリモコン装置の構成例を概略的に示す図で、各記録再生装置に応じたそれぞれのリモコン装置５０に、再生、記録、ダビング、予約などの操作を行うためのボタンやキー等５１が配置されていて、非常に使いにくいものとなっている。このようなリモコン装置においては、例えば、通常のテレビ視聴に慣れている老人が、上記のような複合型の記録再生装置の操作を行うことができず、その基本機能さえ使えない、というような問題が生じる。
【０００５】
また複合型記録再生装置の動作状態等の表示も、例えば、ＬＥＤ等の表示手段を用いた
表示であり、ユーザビリティの面では非常に劣るものであって、ユーザとしては、ＡＶ機器マニア、あるいはパソコンマニアの層が中心になっている傾向がある。
【０００６】
上記特許文献１では、複合型記録再生装置の記録を確実に行うようにした技術は開示されているものの、上述のような操作性の不具合を解消するための技術を開示するものではない。
【０００７】
本発明は上述のごとき実情に鑑みてなされたもので、複合記録再生装置の使いにくさを飛躍的に改善し、使いやすくかつ確実に所望の動作を実行せしめることができる操作手段を備えた、複合型記録再生装置、リモコン装置、及びこれらを有する複合型記録再生システムを提供することを目的とするものである。
【課題を解決するための手段】
【０００８】
上記課題を解決するために、第１の技術手段は、複数種類の記録メディアにそれぞれ対応した複数の記録再生装置を有する複合型記録再生装置において、複合型記録再生装置は、複数種類の記録再生装置を選択するために、複数種類の記録再生装置毎にそれぞれ対応して設けられた複数の記録再生装置選択ボタンを有し、記録再生装置選択ボタンがオンになるように操作されると、操作された記録再生装置選択ボタンに対応する記録再生装置が選択され、選択された記録再生装置に対する操作が可能となることを特徴としたものである。
【０００９】
第２の技術手段は、第１の技術手段において、複合型記録再生装置が、複数の記録再生装置選択ボタンうち、二つの記録再生装置選択ボタンの全ての組み合わせにおいて、各記録再生装置選択ボタン間に、相互に反対の記録再生装置選択ボタンを指し示す二つのダビング指示ボタンが配置され、さらに複数の記録再生装置選択ボタンのそれぞれの近傍に配置された相互に反対方向を指し示すボタンであって、一方が記録再生装置動作用ボタンを向き、他方がいずれの記録再生装置選択ボタンをも向かないように設置された記録／再生指示ボタンが配置され、ダビング指示ボタンのいずれかがオンになるように操作されると、その指示する方向と逆方向に配置されている記録再生装置選択ボタンをダビング元とし、指示する方向に配置されている記録再生装置選択ボタンをダビング先として、ダビング元の記録再生装置選択ボタンに対応する記録再生装置から、ダビング先の記録再生装置選択ボタンに対応する記録再生装置に対してデータのダビングを行い、記録／再生指示ボタンのいずれかがオンになるように操作されると、操作されたボタンの指示方向に記録再生装置選択ボタンが配置されている場合は、記録再生装置選択ボタンに対応する記録再生装置に所定のデータを入力して記録を行い、操作されたボタンの指示方向と逆の方向に記録再生装置選択ボタンが配置されている場合は、記録再生装置選択ボタンに対応する記録再生装置のデータ再生を行うことを特徴としたものである。
【００１０】
第３の技術手段は、第２の技術手段において、ダビング指示ボタン、及び記録／再生指示ボタンの指示は、矢印表示によって行われるように構成されていることを特徴としたものである。
【００１１】
第４の技術手段は、第２または第３の技術手段において、記録再生装置選択ボタン、ダビング指示ボタン、及び記録／再生指示ボタンは、それぞれ操作されてオンになっている間に点灯する点灯手段を備えることを特徴としたものである。
【００１２】
第５の技術手段は、第４の技術手段において、記録再生装置選択ボタンが備える点灯手段が、記録再生装置選択ボタンに対応する記録再生装置が動作するとき、動作が再生動作である場合と、記録動作である場合とで、点灯手段の点灯色が異なることを特徴としたものである。
【００１３】
第６の技術手段は、第２ないし第５のいずれか１の技術手段において、記録再生装置選択ボタン、記録／再生指示ボタン、及びダビング指示ボタンを備えた操作部が、複合型記録再生装置本体に着脱自在に構成され、操作部が複合型記録再生装置本体から離脱しているときには、操作部は、複合型記録再生装置本体を操作するリモコン装置として機能することを特徴としたものである。
【００１４】
第７の技術手段は、複数種類の記録メディアにそれぞれ対応した複数の記録再生装置を有する複合型記録再生装置を操作するためのリモコン装置において、リモコン装置が、複数種類の記録再生装置を選択するために、複数種類の記録再生装置毎にそれぞれ対応して設けられた複数の記録再生装置選択ボタンを有し、記録再生装置選択ボタンがオンになるように操作されると、操作された記録再生装置選択ボタンに対応する記録再生装置を選択する信号を送出し、選択された記録再生装置に対する操作を可能とすることを特徴としたものである。
【００１５】
第８の技術手段は、第７の技術手段において、リモコン装置が、複数の記録再生装置選択ボタンのうち、二つの記録再生装置選択ボタンの全ての組み合わせにおいて、各記録再生装置選択ボタン間に、相互に反対の記録再生装置選択ボタンを指し示す二つのダビング指示ボタンが配置され、さらに複数の記録再生装置選択ボタンのそれぞれの近傍に配置された相互に反対方向を指し示すボタンであって、一方が記録再生装置選択ボタンを向き、他方がいずれの記録装置選択ボタンをも向かないように設置された記録／再生指示ボタンが配置され、ダビング指示ボタンのいずれかがオンになるように操作されると、その指示する方向と逆方向に配置されている記録再生装置選択ボタンをダビング元とし、指示する方向に配置されている記録再生装置選択ボタンをダビング先として、ダビング元の記録再生装置選択ボタンに対応する記録再生装置から、ダビング先の記録再生装置選択ボタンに対応する記録再生装置に対してデータのダビングを行わせる信号を送出し、記録／再生指示ボタンのいずれかがオンになるように操作されると、操作されたボタンの指示方向に記録再生装置選択ボタンが配置されている場合は、記録再生装置選択ボタンに対応する記録再生装置に所定のデータを入力して記録を行い、操作されたボタンの指示方向と逆の方向に記録再生装置選択ボタンが配置されている場合は、記録再生装置選択ボタンに対応する記録再生装置のデータ再生を行う信号を送出することを特徴としたものである。
【００１６】
第９の技術手段は、第８の技術手段において、ダビング指示ボタン、及び記録／再生指示ボタンの指示が、矢印表示によって行われるように構成されていることを特徴としたものである。
【００１７】
第１０の技術手段は、第８または第９の技術手段において、記録再生装置選択ボタン、ダビング指示ボタン、及び記録／再生指示ボタンが、それぞれ操作されてオンになっている間に点灯する点灯手段を備えることを特徴としたものである。
【００１８】
第１１の技術手段は、第１０の技術手段において、記録再生装置選択ボタンが備える点灯手段が、記録再生装置選択ボタンに対応する記録再生装置が動作するとき、動作が再生動作である場合と、記録動作である場合とで、点灯手段の点灯色が異なることを特徴としたものである。
【００１９】
第１２の技術手段は、第１ないし第６のいずれか１に記載の複合型記録再生装置と、第７ないし第１１のいずれか１に記載のリモコン装置とを有することを特徴とする複合型記録再生システムである。
【発明の効果】
【００２０】
本発明によれば、複合型記録再生装置の記録及び再生動作に関して、使いやすくかつ確実に所望の動作を実行せしめることができる操作手段を提供することができる。
すなわち、本発明により、人間が所望する番組やコンテンツ等を記録し、再生するというような基本機能に関する操作を、人間の感覚に近い手段によって実行することができ、ユーザの利便性を格別に高めることができるという効果が達成される。
【発明を実施するための最良の形態】
【００２１】
本発明は、複数種類の記録メディアにそれぞれ対応した複数の記録再生装置を有する複合型記録再生装置、及びその装置を操作するためのリモコン装置に適用可能である。複合型記録再生装置としては、例えば、ブルーレイディスクを用いた光ディスク記録再生装置や、種々のＤＶＤレコードディスクを用いた光ディスク記録再生装置、あるいはハードディスク記録再生装置、テープ記録再生装置などの記録再生装置を複数備え、選択的にこれらの記録再生装置を使用したり、記録再生装置間で映像等のデータを転送（ダビング）したりするような機能を備える複合型記録再生装置が適用できる。
【００２２】
図１は、本発明の複合型記録再生装置の操作部の構成例を示す図で、図中、１は複合型記録再生装置、１０は操作部、１１は記録再生装置選択ボタン、１２はダビング指示ボタン、１３は記録指示ボタン、１４は再生指示ボタンである。
【００２３】
本実施形態では、上記のごときに操作部１０に配置された各ボタンによって、ユーザは、簡単に複数の記録再生装置を選択することができ、また選択した記録再生装置に対する操作を行うことができる。また、複数の記録再生装置間の映像等のデータのダビングも容易であり、各記録再生装置の動作状態をＬＥＤ等による点灯手段によって確実に確認することができる。
【００２４】
図１に示す実施形態は、３種類の記録再生装置を備える複合型記録再生装置の操作部を示すものである。すなわち、ここでは、第１の記録再生装置（記録再生装置Ａとする）、第２の記録再生装置（記録再生装置Ｂとする）、第３の記録再生装置（記録再生装置Ｃとする）が備えられ、これら各記録再生装置における記録・再生操作や、記録再生装置間でデータを転送してダビング処理を行う操作を簡便に実行できるようにしてある。
【００２５】
記録再生装置選択ボタン１１は、上記第１〜第３の記録再生装置にそれぞれ対応して３箇所に設けられているもので、ユーザがこれら記録再生装置選択ボタン１１のいずれかを操作してオンにすると、その操作されたボタンに該当する記録再生装置が選択され、その記録再生装置に対する操作が可能となる。
【００２６】
それぞれの記録再生装置選択ボタン１１にはＬＥＤが設けられており、これら記録再生装置選択ボタン１１のいずれかが操作されてオンになると、ＬＥＤが点灯して、特定の記録再生装置が選択されていることを明示する。
【００２７】
そして、これら記録再生装置選択ボタン１１のいずれかが選択されている状態で、選択された記録再生装置選択ボタン１１の近傍外側に配置されている記録指示ボタン１３または再生指示ボタン１４をユーザが操作することにより、選択されている記録再生装置の記録動作、もしくは再生動作を実行させることができる。例えば、第１の記録再生装置に対応した記録再生装置選択ボタン１１が選択されている状態で、その外側近傍に配置されている記録指示ボタン１３をユーザが操作してオンにすることにより、第１の記録再生装置の記録動作を実行させることができる。
【００２８】
また、同様に、第１の記録再生装置に対応した記録再生装置選択ボタン１１が選択されている状態で、その外側近傍に配置されている再生指示ボタン１４をユーザが操作してオンにすることにより、第１の記録再生装置の再生動作を実行させることができる。他の記録再生装置についても、同様の操作により記録／再生を実行することができる。選択された記録再生装置の記録／再生を停止するときは、例えば、別に用意される図示しない停止キーを操作する。
【００２９】
これら、記録指示ボタン１３と再生指示ボタン１４は、各記録再生装置選択ボタン１１に対して一組のセットとなって配置されている。これら各セットにより、本発明の記録／再生指示スイッチが構成される。
そしてこれら記録指示ボタン１３と再生指示ボタン１４の各セットには、相互に反対方向を示す矢印が表示されている。記録指示ボタン１３の矢印は、対応する記録再生装置選択ボタン１１の方を向いて配置され、再生指示ボタン１４の矢印は、その逆向きとなるように配置される。ここでは、再生指示ボタン１４の矢印は、いずれの記録再生装置選択ボタン１１をも指し示さない。
【００３０】
そして、これら記録指示ボタン１３と再生指示ボタン１４にはＬＥＤが設けられており、これら記録指示ボタン１３及び再生指示ボタン１４のいずれかが操作されてオンになると、ＬＥＤが点灯して、特定の記録再生装置に対する記録動作または再生動作が行われていることを明示する。
【００３１】
また、記録指示ボタン１３と再生指示ボタン１４は、複数の記録再生装置に対して同時に使用することができる。例えば、第１の記録再生装置でデータの再生を行いながら、第２の記録装置でデータの記録を行うように動作させることができる。
【００３２】
上記の構成例では、記録再生装置選択ボタン１１のいずれかを操作して特定の記録再生装置を選択した後に、その選択した記録再生装置選択ボタン１１に対応する記録指示ボタン１３または再生指示ボタン１４のいずれかを操作することによって、選択した記録再生装置の記録動作または再生動作を実行させるようにしているが、記録／再生時には、記録再生装置選択ボタン１１を操作することなく、直接に記録指示ボタン１３または再生指示ボタン１４を操作して、ユーザが任意の記録再生装置の記録／再生を実行できるようにしてもよい。この場合、記録指示ボタン１３または再生指示ボタン１４が操作されたときに、その記録指示ボタン１３または再生指示ボタン１４に設けられたＬＥＤを点灯させるとともに、選択されている記録再生装置選択ボタン１１のＬＥＤを点灯させるようにする。
【００３３】
各記録再生装置選択ボタン１１のうち、二つの記録再生装置選択ボタン１１の間には、一組のダビング指示ボタン１２が配置されている。この一組のダビング指示ボタン１２は、記録再生装置選択ボタン１１の間で相互に反対方向を指し示す矢印を示すボタンであって、それぞれ二つの記録再生装置選択ボタン１１の一方から他方へ向かう方向に矢印が一致するように配置されている。
【００３４】
すなわち、このダビング指示ボタン１２は、複数の記録再生装置間におけるダビングを容易に実行できるようにするもので、ユーザがこれらの任意のダビング指示ボタン１２を操作してオン状態とすることにより、矢印の指示方向と逆方向に配置されている記録再生装置選択ボタン１１をダビング元とし、矢印が指示する方向に配置されている記録再生装置選択ボタン１１をダビング先として、ダビング元の記録再生装置選択ボタン１１に対応する記録再生装置から、ダビング先の記録再生装置選択ボタン１１に対応する記録再生装置に対してデータのダビングを行う動作を実行する。
【００３５】
例えば、第１の記録再生装置（記録再生装置Ａ）から、第２の記録再生装置（記録再生装置Ｂ）にデータのダビングをユーザが行いたい場合、Ａと表示された第１の記録再生装置用の記録再生装置選択ボタン１１と、Ｂと表示された第２の記録再生装置用の記録再生装置選択ボタン１１とを操作してオン状態とし、さらにこれら第１及び第２の記録再生装置選択ボタン１１の間に配置され、その矢印がＡからＢに向かって表示されているダビング指示ボタン１２を操作してオン状態とすることにより、簡単に記録再生装置ＡからＢへのダビングを実行せしめることができる。
【００３６】
そして、それぞれのダビング指示ボタン１２にはＬＥＤが設けられており、これらダビング指示ボタン１２のいずれかが操作されてオンになると、ＬＥＤが点灯して、特定の記録再生装置から他の特定の記録再生装置へのダビングが実行されていることを明示する。
【００３７】
上記の構成例では、ダビング元及びダビング先の記録再生装置に該当する二つの記録再生装置選択ボタン１１を操作して選択した後に、その選択した記録再生装置選択ボタンに対応するダビング指示ボタン１２を操作することによって、選択した記録再生装置間でのダビング処理を実行させるようにしているが、記録再生装置選択ボタン１１の選択操作を行うことなく、直接にダビング指示ボタン１２を操作して、ユーザが任意の記録再生装置間でのダビング処理を実行できるようにしてもよい。この場合、ダビング指示ボタン１２が操作されたときに、そのダビング指示ボタン１２に設けられたＬＥＤを点灯させるとともに、選択されている二つの記録再生装置選択ボタン１１のＬＥＤを点灯させるようにする。
【００３８】
そして本実施形態では、記録再生装置選択ボタン１１のＬＥＤを点灯させるときに、再生動作を行っている場合と、記録動作を行っている場合に、その点灯色を変更することにより、ユーザが確実に動作状態を把握できるようにする。
例えば、記録再生装置Ａの記録再生装置選択ボタン１１に対応する記録指示ボタン１３が操作され、記録再生装置Ａの記録動作が実行されるとき、その記録再生装置選択ボタン１１を記録動作を示す第１の色（例えば、赤）で点灯し、同様に再生指示ボタン１４が操作され、記録再生装置Ａの再生動作が実行されるとき、その記録再生装置選択ボタン１１を再生動作を示す第２の色（例えば、黄色）で点灯する。
また、複数の記録再生装置が選択されているときには、それぞれの記録再生装置に対応する記録再生装置選択ボタン１１を点灯させ、このときにその記録再生装置の動作に応じて、第１の色または第２の色で各記録再生装置選択ボタン１１を点灯させるようにする。
【００３９】
また、ダビング指示ボタン１２によって、記録再生装置間でダビング動作が実行される場合にも同様に動作に応じた色で点灯を行う。例えば、記録再生装置Ａから記録再生装置Ｂにダビングを行う場合、記録再生装置Ａに対応した記録再生装置選択ボタン１１と、記録再生装置Ｂに対応した記録再生装置選択ボタン１１との間のダビング指示ボタン１２を操作したとき、記録再生装置Ａに対応した記録再生装置選択ボタン１１を再生動作を示す第２の色（例えば、黄色）で点灯し、記録再生装置Ｂに対応した記録再生装置選択ボタン１１を記録動作を示す第１の色（例えば、赤）で点灯する。
【００４０】
上記のような構成によって、記録再生装置の記録及び再生動作に関して、非常に使いやすくかつ確実に所望の動作を実行せしめることができる操作手段を提供することができる。複合型記録再生装置であっても、基本的な機能は、人間が所望する番組やコンテンツ等を記録し、再生することであって、本実施形態により、このような基本機能について、人間の感覚に近い手段によって格別に使いやすくなるという効果が達成される。また、複合型記録再生装置においては、このような記録、再生機能のほかには、予約機能のユーザビリティも求められると思われるが、予約機能についてが、電子番組表などの普及により、より使いやすくなるものと考えられる。
【００４１】
なお、本実施形態では、ダビング指示ボタン１２、記録指示ボタン１３、及び再生指示ボタン１４を矢印によって示すようにしたが、矢印に限らず例えば、“△”や“＞”のような方向を指し示すことが表現されるような表示であってもよい。
【００４２】
図２は、本発明のリモコン装置の操作部の構成例を示す図である。リモコン装置は、図１に示すような複数の記録再生装置を有する複合型記録再生装置を操作するためのものである。本実施形態のリモコン装置２は、上記図１に示した複合型記録再生装置の操作部と同様の構成の操作ボタン群が配置され、図１の複合型記録再生装置の操作部と同様の操作によって、複合型記録再生装置に任意の動作を実行させることができる。
【００４３】
すなわち、リモコン装置２の操作部には、複数の記録再生装置に応じた記録再生装置選択ボタン１１、これら各記録再生装置選択ボタン１１にそれぞれ対応付けて配置される複数の記録指示ボタン１３及び再生指示ボタン１４、及び二つの記録再生装置選択ボタン１１の間でダビング指示を行うためのダビング指示ボタン１２が配置されている。またこれらボタン群には、ＬＥＤによる点灯手段が備えられ、記録再生装置の動作に応じて、点灯手段が点灯される。
【００４４】
これらのボタン群をユーザが操作することにより、操作ボタンに応じた指示信号を送出し、複合型記録再生装置がこの指示信号を受信して、所定の動作を実行する。
ここでは、リモコン装置２の操作部の各ボタン群は、上述した複合型記録再生装置１の操作部のボタン群と同様の機能を実現するものであり、その繰り返しの説明は省略する。
【００４５】
また、上記の記録再生装置選択ボタン１１、再生指示ボタン１４、記録指示ボタン１３、及びダビング指示ボタン１２を備えた操作部を、複合型記録再生装置１の本体に着脱自在に構成し、その操作部が複合型記録再生装置１の本体から離脱しているときには、操作部がリモコン装置として機能するように構成してもよい。この場合は、上述した単体のリモコン装置は不要で、リモコン機能をもった操作部を本体に装着し、必要に応じて取り外してリモコン装置として使用すればよい。
【００４６】
図３は、本発明に係る複合型記録再生装置の構成例を説明するためのブロック図で、図１に示す複合型記録再生装置１の機能ブロックを示すものである。また、複合型記録再生装置１を操作するリモコン装置として、図２に示すリモコン装置２を用いるものとする。
この複合型記録再生装置１と、リモコン装置２とによって本発明に係る複合型記録再生システムを構成することができる。
【００４７】
複合型記録再生装置１には、第１の記録再生装置（記録再生装置Ａ）２１、第２の記録再生装置（記録再生装置Ｂ）２２、第３の記録再生装置（記録再生装置Ｃ）２３が備えられている。
チューナ／外部入力Ｉ／Ｆ部２４は、テレビ放送を受信するチューナと、外部からの信号入力のインタフェースとなる外部入力Ｉ／Ｆとからなり、各記録再生装置２１，２２，２３に記録可能な映像等のデータを入力する。また、出力再生部２５は、各記録再生装置２１，２２，２３に記録した映像等のデータを再生出力する。出力再生部２５は、例えば、ディスプレイ等の表示部と音声出力を行うスピーカとから構成される。なお、チューナは、複合型記録再生装置１に内蔵されていてもよく、また外部のチューナから受信データを入力するようにしてもよい。
【００４８】
制御部２６は、操作部１０に配置されたボタン群に対する操作に応じて、記録再生装置２１，２２，２３の記録／再生動作を制御する。また、上記ボタン群に対する操作に応じて、記録／再生を表す点灯手段の点灯制御を行う。
また、リモコン受光部２７は、リモコン装置２から送出される操作信号を受信して制御部２６に送り、制御部２６では、リモコン装置２からの操作信号に従って記録再生装置２１，２２，２３の記録／再生動作を制御する。
【００４９】
チューナ／外部入力Ｉ／Ｆ部２４から各記録再生装置２１，２２，２３へのデータ転送経路上にはスイッチ３１ａ，３２ａ，３３ａが設けられ、各記録再生装置２１，２２，２３から出力再生部２５へのデータ転送経路上にはスイッチ３１ｂ，３２ｂ，３３ｂが設けられる。また、各記録再生装置２１，２２，２３同士でデータ転送を行う経路上には、スイッチ３４ａ，３４ｂ，３５ａ，３５ｂ，３６ａ，３６ｂが設けられる。これらスイッチは、操作部１０からの操作信号もしくはリモコン装置２から送信された操作信号に応じて制御部２６により制御される。
【００５０】
図３における操作例を説明する。例えば、チューナ／外部入力Ｉ／Ｆ部２４のＴＶチューナで受信した放送番組を、第１の記録再生装置（記録装置Ａ）２１に録画しようとする場合、ユーザは、操作部１０の第１の記録装置用の記録再生装置選択ボタン（“Ａ”と表示されている）１１を押して、その記録再生装置選択ボタン１１を点灯させ、さらに点灯させた記録再生装置選択ボタン１１の外側近傍に配置された記録指示ボタン１３を押して記録を開始させる。ここでは、上述したように、記録装置選択ボタン１１を押すことなく直接に第１の記録再生装置用の記録指示ボタン１３を押すことによって、記録が開始されるようにしてもよい。また、ここではリモコン装置２のボタン群に対して操作が行われた場合にも、操作部１０への操作と同様の処理が行われる。
【００５１】
このときに、制御部２６は、チューナ／外部入力Ｉ／Ｆ部２４から第１の記録再生装置（記録再生装置Ａ）２１に向かう信号経路上のスイッチ３１ａを閉じ、他の記録装置（記録装置Ｂ，Ｃ）２２，２３に向かう信号経路上のスイッチ３２ａ，３３ａを開けるように制御して、ＴＶチューナからの放送番組を第１の記録再生装置２１に記録させる。ここでは、勿論、入力ソースとしてＴＶチューナを選択し、記録する番組を決定する等の操作が行われるが、ここでは詳細な説明は省略する。
【００５２】
また、記録再生装置から表示装置などに出力する場合、例えば、第１の記録再生装置を再生させて、その再生データを出力再生部２５に出力させる場合、ユーザは、操作部１０の第１の記録装置用の記録再生装置選択ボタン１１を押して、その記録再生装置選択ボタン１１を点灯させ、さらに点灯させた記録再生装置選択ボタン１１の外側近傍に配置された再生指示ボタン１４を押して再生を開始させる。ここでは、上述したように、第１の記録装置選択ボタン１１を押すことなく直接に第１の記録再生装置用の再生指示ボタン１４を押すことによって、再生が開始されるようにしてもよい。また、ここではリモコン装置２のボタン群に対して操作が行われた場合にも、操作部１０への操作と同様の処理が行われる。
【００５３】
このときに、制御部２６は、第１の記録再生装置（記録再生装置Ａ）２１から出力再生部２５に向かう信号経路上のスイッチ３１ｂを閉じ、他の記録装置（記録再生装置Ｂ，Ｃ）２２，２３から出力再生部２５に向かう信号経路上のスイッチ３２ｂ，３３ｂを開けるように制御して、第１の記録再生装置２１で再生された映像等のデータを、出力再生部２５に出力させる。
【００５４】
次に、第１の記録再生装置（記録再生装置Ａ）２１から第２の記録再生装置（記録再生装置Ｂ）２２へデータをダビングする場合、ユーザは、操作部１０の第１の記録装置用の記録再生装置選択ボタン１１と第２の記録再生装置用の記録再生装置選択ボタン１１とを押して、二つの記録再生装置選択ボタン１１を点灯させ、さらに点灯させた記録再生装置選択ボタン１１の間に配置されたダビング指示ボタン１２を押してダビングを開始させる。ここでは、上述したように、第１及び第２の記録再生装置用の記録再生装置選択ボタン１１を押すことなく直接にダビング指示ボタン１２を押すことによって、ダビングが開始されるようにしてもよい。また、ここではリモコン装置２のボタン群に対して操作が行われた場合にも、操作部１０への操作と同様の処理が行われる。
【００５５】
このときに、制御部２６は、第１の記録再生装置２１から第２の記録再生装置２２に向かう信号経路上のスイッチ３４ａを閉じ、他の記録再生装置間の信号経路上のスイッチ３４ｂ，３５ａ，３５ｂ，３６ａ，３６ｂを開けるように制御して、第１の記録再生装置２１から第２の記録再生装置２２へのデータのダビングを行うように制御する。
【００５６】
また、リモコン装置２のボタン群を用いて複合型記録再生装置１の操作を行ったときに、制御部２６は、複合型記録再生装置１の操作部１０に配置されたボタン群を、リモコン装置２に対する操作に一致するように点灯させる。こうして、リモコン装置２を用いて操作を行った場合でも、複合型記録再生装置１が備える操作部１０のボタン群により動作の状態を確認することができる。
【００５７】
図４は、本発明に係る複合型記録再生装置の他の構成例を説明するためのブロック図である。上記の例と同様に、複合型記録再生装置１には、第１の記録再生装置（記録再生装置Ａ）２１、第２の記録再生装置（記録再生装置Ｂ）２２、第３の記録再生装置（記録再生装置Ｃ）２３が備えられている。
これら記録再生装置２１，２２，２３に対して、上記の例と同様に、映像等のデータの記録、再生出力、及び記録再生装置間におけるデータのダビングを実行する。このときに本例では、インタフェース回路４２によって、必要なソースとその出力先とを選択可能とする。
【００５８】
操作部１０のボタン群は、上述の図１及び図２の例と同様に構成され、操作ボタン制御部４５によって、その操作入力の判別と、操作入力に従う対象ボタンの点灯制御とを行う。操作ボタン制御部４５から入力したボタンの操作情報は、記録再生装置インタフェース選択回路４４に入力し、インタフェース回路にてスイッチングするインタフェースを選択する。
【００５９】
選択されたインタフェース情報はインタフェース切換回路４３に入力し、インタフェース切換回路４３により、インタフェース回路４２でインタフェースがスイッチングされる。また、チューナ／外部入力Ｉ／Ｆ部２４と、出力再生部２５は、映像音声情報記録再生制御回路に接続され、記録・再生のためのデータ処理が行われる。映像音声情報記録再生制御回路４１は、インタフェース回路４２を介して、各記録再生装置２１，２２，２３との間でデータ転送が可能に構成される。
【００６０】
すなわち、図４の構成は、図３の構成でスイッチングを行うスイッチの機能を、インタフェース回路４２を用いて実現するものであって、操作部１０のボタン群になされる操作と、各記録再生装置の動作との関係は、図３の構成と同様であって、操作ボタンを感覚的に操作することで、簡便に記録再生装置の記録・再生・ダビング動作を実行できるようにしたものである。
【図面の簡単な説明】
【００６１】
【図１】本発明の複合型記録再生装置の操作部の構成例を示す図である。
【図２】本発明のリモコン装置の操作部の構成例を示す図である。
【図３】本発明に係る複合型記録再生装置の構成例を説明するためのブロック図である。
【図４】本発明に係る複合型記録再生装置の他の構成例を説明するためのブロック図である。
【図５】従来のリモコン装置の構成例を概略的に示す図である。
【符号の説明】
【００６２】
１…複合型記録再生装置、２…リモコン装置、１０…操作部、１１…記録再生装置選択ボタン、１２…ダビング指示ボタン、１３…記録指示ボタン、１４…再生指示ボタン、２１，２２，２３…記録再生装置、２４…チューナ／外部入力Ｉ／Ｆ部、２５…出力再生部、２６…制御部、２７…リモコン受光部、４１…映像音声情報記録再生制御回路、４２…インタフェース回路、４３…インタフェース切換回路、４４…記録再生装置インタフェース選択回路、４５…操作ボタン制御部、５０…リモコン装置、５１…ボタンやキー等。
【図１】
2006107653.tif 000003
【図２】
2006107653.tif 000004
【図３】
2006107653.tif 000005
【図４】
2006107653.tif 000006
【図５】
2006107653.tif 000007